(57)【特許請求の範囲】
【請求項１】
クリップ部と、このクリップ部を支持するクリップ支持体との間で被挟持物を挟み込むようにした筆記具のクリップ構造において、
前記クリップ部を前記クリップ支持体に対して着脱可能にする係止部と、
両端が前記クリップ部と前記クリップ支持体とに連結され、前記クリップ支持体から出し入れされる所定長さの連結部と、を備えたことを特徴とする筆記具のクリップ構造。
【請求項２】
クリップ部は、前記クリップ支持体に着脱自在な台座部と、前記台座部に軸支されたクリップ本体部と、前記台座部と前記クリップ本体部との間に配置されて前記クリップ本体部を付勢するバネ部とからなり、
前記クリップ本体部には、前記台座部の前部側に設けられた受け部を、前記クリップ支持体の軸線に対して略直交する方向で且つ外方に向かって押し上げる押し上げ部が設けられ、
前記バネ部の付勢力によって、前記台座部の前記受け部と前記クリップ本体部の押し上げ部とが離間していることを特徴とする請求項１記載の筆記具のクリップ構造。
【請求項３】
前記係止部は、凸状の爪部と、前記爪部が入り込む開口部内で前記爪部の先端を引っ掛ける掛け止め部と、からなり、前記台座部と前記クリップ支持体との何れか一方には前記爪部が形成され、他方には前記掛け止め部が形成されていることを特徴とする請求項２に記載の筆記具のクリップ構造。
【請求項４】
前記連結部は、前記クリップ支持体に形成され且つ軸線方向に延在するスリットからの出し入れが自在なアーム部からなり、前記アーム部の前端は、前記スリット内で軸支され、前記アーム部の後端は、前記台座部の前端で軸支されていることを特徴とする請求項２又は３に記載の筆記具のクリップ構造。
【発明の詳細な説明】
【技術分野】
【０００１】
本発明は、筆記具のキャップや軸筒などに適用されるクリップ構造に関するものである。
【背景技術】
【０００２】
従来、このような分野の技術として、特開２００６−１３０８００号公報がある。この公報に記載された筆記具では、軸筒の後端側でクリップ部が軸支され、クリップ部をコイルスプリングによって付勢している。クリップ部と軸筒との間に配設したコイルスプリングによって、クリップ部の先端側が、常時、筒体の外壁面側に弾発的に当接されている。そして、クリップ部の後端部を押し下げることで、軸部を中心とし、クリップ部の先端側を持ち上げることができ、クリップ部によって、筆記具をノートなどの被挟持物に挟み込み固定させることができる。
【先行技術文献】
【特許文献】
【０００３】
【特許文献１】特開２００６−１３０８００号公報
【発明の概要】
【発明が解決しようとする課題】
【０００４】
しかしながら、クリップ部を必要以上に大きく開かせると、軸部が折れたり外れたりするような事態が発生する。そして、軸筒からクリップ部が脱落すると、利用者の意に反して、クリップ部を紛失する虞があるといった問題点があった。
【０００５】
本発明は、クリップ部の紛失を防止するようにした筆記具のクリップ構造を提供することを目的とする。
【課題を解決するための手段】
【０００６】
本発明は、クリップ部と、このクリップ部を支持するクリップ支持体との間で被挟持物を挟み込むようにした筆記具のクリップ構造において、
クリップ部をクリップ支持体に対して着脱可能にする係止部と、
両端がクリップ部とクリップ支持体とに連結され、クリップ支持体から出し入れされる所定長さの連結部と、を備えたことを特徴とする。
【０００７】
クリップ本体部の先端側を必要以上に大きく開こうとすると、クリップ本体部に無理な力が働いてクリップ本体部が折れてしまう事態が起こる。そこで、本発明のクリップ構造においては、係止部によってクリップ部がクリップ支持体に保持されているので、クリップ部に必要以上の力が加わると、クリップ部をクリップ支持体から離脱させることができる。これによって、クリップ部の折れなどによる破損が防止される。そして、クリップ部とクリップ支持体とが、所定長さの連結部によって連結されているので、例え、クリップ部が外れても、クリップ部を紛失するような事態が起こらない。
【０００８】
また、クリップ部は、クリップ支持体に着脱自在な台座部と、台座部に軸支されたクリップ本体部と、台座部とクリップ本体部との間に配置されてクリップ本体部を付勢するバネ部とからなり、クリップ本体部には、台座部の前部側に設けられた受け部を、クリップ支持体の軸線に対して略直交する方向で且つ外方に向かって押し上げる押し上げ部が設けられ、バネ部の付勢力によって、台座部の受け部とクリップ本体部の押し上げ部とが離間していると好適である。
このような構成において、クリップ部は、台座部とクリップ本体部とバネ部とからなるので、クリップ部がクリップ支持体から離脱しても、バネ部が飛び出してしまうような事態が起こらず、クリップ部自体にクリップ機能を維持させたままの状態で、クリップ部をクリップ支持体から離脱させることができる。また、クリップ本体部の先端側を必要以上（有効開き角度以上）に大きく開こうとすると、クリップ本体部の押し上げ部によって台座部の受け部が引き上げられ、クリップ部にはクリップ支持体から離脱するような力が作用する。また、台座部の受け部とクリップ本体部の押し上げ部との間に隙間があり、この隙間の大小によってクリップ部の先端側の有効開き角度を調整することができる。例えば、この隙間を大きくすると、クリップ部の有効開き角度が大きくなり、この隙間を小さくすると、クリップ部の有効開き角度を小さくすることができる。
【０００９】
また、係止部は、凸状の爪部と、爪部が入り込む開口部内で爪部の先端を引っ掛ける掛け止め部とからなり、台座部とクリップ支持体との何れか一方には爪部が形成され、他方には掛け止め部が形成されていると好適である。
このような構成を採用すると、爪部の先端形状や材質の変更によって、クリップ支持体からクリップ部が離脱するときに必要な力の調整を可能にする。また、クリップ支持体から離脱したクリップ部を、クリップ支持体に装着させ易い。
【００１０】
また、連結部は、クリップ支持体に形成され且つ軸線方向に延在するスリットからの出し入れが自在なアーム部からなり、アーム部の前端は、スリット内で軸支され、アーム部の後端は、台座部の前端で軸支されていると好適である。
このような構成を採用すると、クリップ支持体とクリップ部とを連結するアーム部は、筆記時にスリット内に格納されているので、アーム部がクリップの挟持の際に邪魔になることが無い。
【発明の効果】
【００１１】
本発明によれば、クリップ部の紛失を防止することができる。
【図面の簡単な説明】
【００１２】
【図１】本発明に係るクリップ構造を適用した筆記具の一実施形態を示す断面図である。
【図２】筆記具の分解斜視図である。
【図３】軸筒からクリップ部が分離した状態を示す斜視図である。
【図４】クリップ本体部を示す底面図である。
【図５】クリップ本体部の断面図である。
【図６】図５のＶＩ−ＶＩ線に沿う断面図である。
【図７】図１のＶII−ＶII線に沿う断面図である。
【図８】台座部の底面図である。
【図９】台座部の断面図である。
【図１０】図９のＸ−Ｘ線に沿う断面図である。
【図１１】アーム部を軸筒に組み付ける前の状態を示す斜視図である。
【図１２】クリップ本体部の有効開き角度が最大になった状態を示す断面図である。
【図１３】クリップ部が軸筒から分離した状態を示す断面図である。
【図１４】スリットから芯を補充する状態を示す断面図である。
【発明を実施するための形態】
【００１３】
以下、図面を参照しつつ本発明に係る筆記具のクリップ構造の好適な実施形態について詳細に説明する。なお、ペン先側を「前方側」として以下説明する。
【００１４】
図１〜図３に示すように、筆記具（シャープペンシル）１は、軸筒（クリップ支持体）２を有し、この軸筒２の前筒部２ａ内には公知構造よりなるノック機構部Ｎが組み込まれている。これに対して、この軸筒２の後筒部２ｂは、前筒部２ａに対して軸線Ｌ方向に進退可能であり、後筒部２ｂの後端には、ノック部３が設けられている。そして、軸筒２の後筒部２ｂには、軸線Ｌ方向に延在するクリップ本体部１１を有するクリップ部１０と、クリップ部１０を支持する軸筒２の後筒部２ｂとの間で被挟持物（例えば、本や雑誌など）を挟み込むように構成されたクリップ構造が採用されている。
【００１５】
クリップ部１０は、軸筒２の後筒部２ｂに着脱自在な台座部１２（図８〜図１０参照）と、台座部１２に軸支されたクリップ本体部１１（図４〜図６参照）と、台座部１２とクリップ本体部１１との間に配置されてクリップ本体部１１の後端を下から付勢する圧縮コイルバネ（バネ部）１３とからなる。クリップ本体部１１の底部には、凹部１１ｂ（図４参照）が形成され、クリップ本体部１１には、凹部１１ｂ内に突出する軸部１１ａが形成されている。
【００１６】
また、台座部１２には、クリップ本体部１１を揺動自在にするために、軸部１１ａの乗り越え嵌合を可能にした軸孔１２ａが形成されている。さらに、台座部１２には、軸孔１２ａの後方に円筒状のバネ座部１２ｂが設けられ、バネ座部１２ｂ内に挿入された圧縮コイルバネ１３によってクリップ本体部１１の後部を押し上げ、クリップ本体部１１にクリップ力を発揮させている。
【００１７】
このような構成において、クリップ部１０は、台座部１２とクリップ本体部１１と圧縮コイルバネ（バネ部）１３とからなるので、クリップ部１０が軸筒２から離脱しても、圧縮コイルバネ１３が飛び出してしまうような事態が起こらず、クリップ部１０自体にクリップ機能を維持させたままの状態で、クリップ部１０を軸筒２から離脱させることができる。
【００１８】
台座部１２は、係止部Ｓによって軸筒２の後筒部２ｂに着脱自在である。この係止部Ｓは、軸筒２の後筒部２ｂに形成されて、径方向に立設された凸状の爪部１４と、台座部１２に形成されて、爪部１４の入り込みを可能にした矩形の開口部１５内で爪部１４の先端を引っ掛ける掛け止め部１５ａとからなる（図７〜図１０参照）。
【００１９】
爪部１４は、半割形状の２枚の爪片１６，１７からなり、各爪片１６，１７の先端には、側方に突出する断面三角形状の引っ掛け部１６ａ，１７ａが設けられている。板バネのような弾性を有する爪片１６，１７の間隔を狭めながら、爪部１４の引っ掛け部１６ａ，１７ａは開口部１５内に入る。
【００２０】
図７に示すように、開口部１５内に突出する掛け止め部１５ａは、断面三角形状に形成され、所定の弾性力によって、爪部１４の引っ掛け部１６ａ，１７ａに台座部１２の掛け止め部１５ａが引っ掛けられるので、台座部１２は、所定の力以下で爪部１４から抜けることがない。また、引っ掛け部１６ａ，１７ａ及び掛け止め部１５ａを、断面三角形状にすることで、斜面を滑りながら、ワンタッチで爪部１４の引っ掛け部１６ａ，１７ａを台座部１２の掛け止め部１５ａに係止させることができる。
【００２１】
このような構成を採用すると、爪部１４の先端形状や材質の変更によって、軸筒２からクリップ部１０が離脱するときに必要な力の調整を可能にする。また、軸筒２から離脱したクリップ部１０を、軸筒２に装着させ易い。
【００２２】
図１〜図３に示すように、クリップ部１０の台座部１２の前端と軸筒２の後筒部２ｂとは、所定長さのアーム部（連結部）２０によって連結されている。このアーム部２０は、軸筒２の後筒部２ｂに形成され且つ軸線Ｌ方向に延在するスリット２１からの出し入れが自在である。スリット２１は、係止部Ｓの爪部１４の前方で軸線Ｌ方向に延在し、このスリット２１から出し入れ自在にするために、アーム部２０の前端は、スリット２１内で軸支され、アーム部２０の後端は、台座部１２の前端で軸支されている。
【００２３】
このような構成を採用すると、軸筒２とクリップ部１０とを連結するアーム部２０は、筆記時にスリット２１内に格納されているので、アーム部２０が筆記の邪魔になることがない。
【００２４】
台座部１２の前端には、前方に突出してアーム部２０の後端の差込み部２０ａ内に入り込む突片２２が形成され、この突片２２には、アーム部２０に形成された軸孔２０ｂ内に嵌り込む軸部２２ａが設けられている。図１１に示すように、スリット２１の前部には、スリット２１内で突出する軸部２１ａが形成され、アーム部２０の前端には、長手方向に延在する軸孔２０ｃが形成され、この軸孔２０ｃ内に軸部２１ａが挿入されている。
【００２５】
軸孔２０ｃの後端部には、軸部２１ａを通過させるための切り込み部２０ｄが形成され、この切り込み部２０ｄによって、軸孔２０ｃ内に軸部２１ａを乗り越え嵌合させ易くなる。そして、軸孔２０ｃの前端側を中心にアーム部２０が揺動するので、軸孔２０ｃの後端に設けられている切り込み部２０ｄから軸部２１ａの抜けが防止される。
【００２６】
台座部１２の前部側には、前方に向けて突出する舌片状の受け部２３が設けられ、この受け部２３は、クリップ本体部１１の凹部１１ｂ内に収容されると共に、突片２２から離間して配置されている。クリップ本体部１１には、この受け部２３を、軸線Ｌに対して略直交する方向で且つ外方に向かって押し上げる押し上げ部２４が設けられている。この押し上げ部２４は、受け部２３と突片２２との間に挿入され、台座部１２の受け部２３とクリップ本体部１１の押し上げ部２４とは、クリップの定常状態において、圧縮コイルバネ１３の付勢力によって離間させられている。
【００２７】
図１２（ａ）に示すように、クリップ本体部１１によって厚い物を挟もうとすると、矢印Ａ方向にクリップ本体部１１が開く。そして、図１２（ｂ）に示すように、クリップ本体部１１が予定された開き角度（有効開き角度）の限界に達すると、受け部２３と押し上げ部２４とが当接する。
【００２８】
その後、クリップ本体部１１が更に開こうとすると、図１３に示すように、クリップ本体部１１の押し上げ部２４によって、台座部１２の受け部２３が矢印Ｂ方向に押し上げられる。このとき、係止部Ｓにおいて、軸筒２の後筒部２ｂに形成された爪部１４の引っ掛け部１６ａ，１７ａから、台座部１２に形成された掛け止め部１５ａが外れて、クリップ部１０が軸筒２の後筒部２ｂから分離される。
【００２９】
このように、クリップ本体部１１に必要以上の持ち上げ力が加わると、クリップ部１０が軸筒２から外れ、クリップ本体部１１に無理な力が加わらず、クリップ本体部１１の折れが防止される。そして、クリップ部１０と軸筒２とがアーム部２０によって連結されているので、例え、クリップ部１０が外れても、クリップ部１０を紛失するような事態が起こらない。
【００３０】
また、クリップ部１０にクリップ機能を発揮させ得る有効開き角度（有効開き角度）は、受け部２３と押し上げ部２４との隙間寸法の変更により任意に設定できる。例えば、離間寸法を大きくすると、クリップ本体部１１の有効開き角度が大きくなり、離間寸法を小さくすると、クリップ本体部１１の有効開き角度が小さくなる。このように、受け部２３と押し上げ部２４との隙間寸法を変更するだけで、クリップ本体部１１の後端と後述の指引っ掛け片２９の当接により規制される範囲内でクリップ本体部１１の有効開き角度を容易に変更することができる。
【００３１】
図１及び図１４に示すように、軸筒２内には、スリット２１に連通する芯誘導筒２６が配置され、芯誘導筒２６の後端は後筒部２ｂに固定され、芯誘導筒２６の前端はノック機構部Ｎの芯挿入筒２７に連結されている。従って、スリット２１から挿入された芯２８を、芯誘導筒２６を通って芯挿入筒２７まで送ることができる。さらには、ノック部３を押すことで後筒部２ｂと一緒に芯誘導筒２６が前方に押し出され、芯誘導筒２６によって芯挿入筒２７が前方に押されることで、ノック機構部Ｎを動作させ、芯２８が筆記具１から繰り出される。
【００３２】
また、筆記時にアーム部２０は、スリット２１の蓋として機能しているので、スリット２１から芯２８が飛び出すことを防止している。そして、スリット２１から芯２８を補充することができるので、ノック部３に設けられているキャップ３ａや消しゴム３ｂを外すことなく、芯２８を容易に補充することができる。
【００３３】
また、台座部１２の後端には、指引っ掛け片２９が突出し、この指引っ掛け片２９を、図１の矢印Ｃで示すように、指で押し上げると、係止部Ｓにおいて、軸筒２の後筒部２ｂに形成された爪部１４の引っ掛け部１６ａ，１７ａから、台座部１２に形成された掛け止め部１５ａを容易に外すことができる。この引っ掛け片２９は、スリット２１から芯２８を補充する場合に利用され、ワンタッチでクリップ部１０の離脱を可能にしている。
【００３４】
本発明は、前述した実施形態に限定されないことは言うまでもない。
【００３５】
例えば、クリップ支持体としては、ペン先の保護や乾きを防止するために着脱自在なキャップであってもよい。
【００３６】
また、係止部Ｓにおいて、台座部１２に爪部１４を設け、軸筒２に開口部１５を形成してもよい。
【００３７】
また、バネ部１３は、Ｕ字状の板バネであってもよい。
【符号の説明】
【００３８】
１…筆記具、２…軸筒（クリップ支持体）、１０…クリップ部、１１…クリップ本体部、１２…台座部、１３…圧縮コイルバネ（バネ部）、１４…爪部、１５…開口部、１５ａ…掛け止め部、２０…アーム部（連結部）、２１…スリット、２３…受け部、２４…押し上げ部、Ｓ…係止部、Ｌ…軸線。
【図１】
0005770438.tif 000002
【図２】
0005770438.tif 000003
【図３】
0005770438.tif 000004
【図４】
0005770438.tif 000005
【図５】
0005770438.tif 000006
【図６】
0005770438.tif 000007
【図７】
0005770438.tif 000008
【図８】
0005770438.tif 000009
【図９】
0005770438.tif 000010
【図１０】
0005770438.tif 000011
【図１１】
0005770438.tif 000012
【図１２】
0005770438.tif 000013
【図１３】
0005770438.tif 000014
【図１４】
0005770438.tif 000015